(57)【要約】【課題】簡単且つ確実に所定量の薬剤等を注射できる注射器を提供する。【解決課題】一端に針３と接合する筒先部１Ｂを備え他端に開口部１Ｃを備えた外筒体１と、外筒体１の内部に嵌合し外筒体１内に薬液等を封入するプランジャー７と、プランジャー７に取り付けられたプランジャーロッド９と、からなり、プランジャーロッド９はその長手方向に延び且つ外周方向の異なる位置に設けられた複数のリブ部９Ａ、９Ｂ、９Ｃ、９Ｄを有し、上記各リブ部の各々に長手方向に間隔を開けて係止部Ｂ、Ｃ、Ｄを設け、上記開口部１Ｃに係止受部１５Ｄを設け、プランジャーロッド９を回転させることにより上記係止部Ｂ、Ｃ、Ｄを係止受部１５Ｄと係止させて、薬液等の投与量を段階的に調節するものである。【選択図】　　　図１
2004049726.tif 000002
【特許請求の範囲】
【請求項１】
一端に針と接合する筒先部を備え他端に開口部を備えた外筒体と、上記外筒体の内部に嵌合し外筒体内に薬液等を封入するプランジャーと、上記プランジャーに取り付けられたプランジャーロッドと、からなり、上記プランジャーロッドはその長手方向に延び且つ外周方向の異なる位置に設けられた複数のリブ部を有し、上記各リブ部にそれぞれ長手方向に間隔を開けて一乃至複数の係止部を設け、上記開口部に係止受部を設け、上記プランジャーロッドの前進に先立ちプランジャーロッドを所定量だけ回転させ、プランジャーロッドの前進時に異なる位置の係止部を係止受部に係止させることにより薬液等の投与量を段階的に調節するようにしたことを特徴とする注射器。
【請求項２】
一端に針と接合する筒先部を備え他端に開口部を備えた外筒体と、上記外筒体の内部に所定間隔をあけて嵌合した第１プランジャーおよび第２プランジャーと、上記第１プランジャーに取り付けられたプランジャーロッドと、を備え、上記第１プランジャーと第２プランジャーとの間の筒内に第１注射剤を封入し、第２プランジャーと筒先部との間の外筒体に膨出部を設けるとともに筒内に第２注射剤を封入してなり、上記プランジャーロッドはその長手方向に延び且つ外周方向の異なる位置に設けられた複数のリブ部を有し、上記各リブ部にそれぞれ長手方向に間隔を開けて一乃至複数の係止部を設け、上記開口部に係止受部を設け、上記プランジャーロッドの前進に先立ちプランジャーロッドを所定量だけ回転させ、プランジャーロッドの前進時に異なる位置の係止部を係止受部に係止させることにより薬液等の投与量を段階的に調節するようにしたことを特徴とする注射器。
【請求項３】
一端に針と接合する筒先部を備え筒先部の内側に注出針を突出形成し他端に開口部を備えた外筒体と、上記外筒体の内部に配置され先端部に備えた閉止部材と内部に嵌合したプランジャーとこれらにより封入される薬液等とからなる注射筒体と、上記プランジャーに取り付けられるプランジャーロッドとからなり、上記プランジャーロッドはその長手方向に延び且つ外周方向の異なる位置に設けられた複数のリブ部を有し、上記各リブ部にそれぞれ長手方向に間隔を開けて一乃至複数の係止部を設け、上記開口部に係止受部を設け、上記プランジャーロッドの前進に先立ちプランジャーロッドを所定量だけ回転させ、プランジャーロッドの前進時に異なる位置の係止部を係止受部に係止させることにより薬液等の投与量を段階的に調節するようにしたことを特徴とする注射器。
【請求項４】
上記プランジャーロッドの第１のリブ部に薬液等が全量入った状態で係止受部と係合するストッパＡが設けられていることを特徴とする請求項１〜３のうちいずれか１項記載の注射器。
【発明の詳細な説明】
【０００１】
【発明の属する技術分野】
本発明は、薬液等の投与量を段階的に調節して注射できるようにした注射器に関する。
【０００２】
【従来の技術】
従来、注射器による薬液の投与においては、注射を受ける患者が大人か又は子供かにより、又、体格や体重および病状の重症度等により、種々異なる量を注射している。この具体的な投与方法は、注射器の外筒体に付設された目盛を見ながら、注射器の操作者がプランジャーの移動位置を目盛に合わせて確認して行っている。
【０００３】
上記注射器による薬液の投与量を一定量とする方法によると、目盛を見ながらプランジャーの移動位置を目視・確認して行うため、正確に所定量を注射しにくく、注射する者の技能による個人差が出易いとともに、その操作に慎重を期さなければならず、簡単で正確な注射が行えないという問題がある。
【０００４】
【発明が解決しようとする課題】
本発明はこのような点に基づいてなされたものでその目的とするところは、簡単且つ容易に所定量の薬液等を注射できる注射器を提供することにある。
【０００５】
【課題を解決するための手段】
上記目的を達成するべく本発明の請求項１記載の注射器は、一端に針と接合する筒先部を備え他端に開口部を備えた外筒体と、上記外筒体の内部に嵌合し外筒体内に薬液等を封入するプランジャーと、上記プランジャーに取り付けられたプランジャーロッドと、からなり、上記プランジャーロッドはその長手方向に延び且つ外周方向の異なる位置に設けられた複数のリブ部を有し、上記各リブ部にそれぞれ長手方向に間隔を開けて一乃至複数の係止部を設け、上記開口部に係止受部を設け、上記プランジャーロッドの前進に先立ちプランジャーロッドを所定量だけ回転させ、プランジャーロッドの前進時に異なる位置の係止部を係止受部に係止させることにより薬液等の投与量を段階的に調節するようにしたことを特徴とするものである。
【０００６】
また、本発明の請求項２記載の注射器は、一端に針と接合する筒先部を備え他端に開口部を備えた外筒体と、上記外筒体の内部に所定間隔をあけて嵌合した第１プランジャーおよび第２プランジャーと、上記第１プランジャーに取り付けられたプランジャーロッドと、を備え、上記第１プランジャーと第２プランジャーとの間の筒内に第１注射剤を封入し、第２プランジャーと筒先部との間の外筒体に膨出部を設けるとともに筒内に第２注射剤を封入してなり、上記プランジャーロッドはその長手方向に延び且つ外周方向の異なる位置に設けられた複数のリブ部を有し、上記各リブ部にそれぞれ長手方向に間隔を開けて一乃至複数の係止部を設け、上記開口部に係止受部を設け、上記プランジャーロッドの前進に先立ちプランジャーロッドを所定量だけ回転させ、プランジャーロッドの前進時に異なる位置の係止部を係止受部に係止させることにより薬液等の投与量を段階的に調節するようにしたことを特徴とするものである。
【０００７】
さらに、本発明の請求項３記載の注射器は、一端に針と接合する筒先部を備え筒先部の内側に注出針を突出形成し他端に開口部を備えた外筒体と、上記外筒体の内部に配置され先端部に備えた閉止部材と内部に嵌合したプランジャーとこれらにより封入される薬液等とからなる注射筒体と、上記プランジャーに取り付けられるプランジャーロッドとからなり、上記プランジャーロッドはその長手方向に延び且つ外周方向の異なる位置に設けられた複数のリブ部を有し、上記各リブ部にそれぞれ長手方向に間隔を開けて一乃至複数の係止部を設け、上記開口部に係止受部を設け、上記プランジャーロッドの前進に先立ちプランジャーロッドを所定量だけ回転させ、プランジャーロッドの前進時に異なる位置の係止部を係止受部に係止させることにより薬液等の投与量を段階的に調節するようにしたことを特徴とするものである。
【０００８】
さらに、本発明の請求項４記載の注射器は、請求項１〜３のうちいずれか１項記載の注射器において、上記プランジャーロッドの第１のリブ部に薬液等が全量入った状態で係止受部と係合するストッパＡが設けられていることを特徴とするものである。
【０００９】
【作用】
まず、本発明の請求項１記載の注射器の場合には、外筒体内の薬液等を段階的に所定量づつ投与できるようにしたものである。すなわち、プランジャーロッドの前進に先立ちプランジャーロッドを所定量だけ回転させ、プランジャーロッドを前進させると、プランジャーロッドの前進時に異なる位置の係止部が係止受部に係止される。薬液等の投与量はプランジャーロッドの前進量により規定され、これにより、外筒体内の薬液等の投与量が段階的に調節される。
【００１０】
また、本発明の請求項２記載の注射器の場合は、第１注射剤と第２注射剤を混合して薬液等を製造した後、投与を行う２室型の注射器において、外筒体内の薬液等を段階的に所定量づつ投与できるようにしたものである。すなわち、プランジャーロッドの前進に先立ちプランジャーロッドを所定量だけ回転させ、プランジャーロッドを前進させると、プランジャーロッドの前進時に異なる位置の係止部が係止受部に係止される。薬液等の投与量はプランジャーロッドの前進量により規定され、これにより、外筒体内の第１注射剤と第２注射剤の混合が的確に行えるとともに、外筒体内の薬液等の投与量が段階的に調節される。
【００１１】
また、本発明の請求項３記載の注射器の場合は、外筒体内に注射筒体を備え、注出針により注射筒体を外筒体の筒先部と連通させた後、注射筒体内の薬液等の投与を行う注射器において、注射筒体内の薬液等を段階的に所定量づつ投与できるようにしたものである。すなわち、プランジャーロッドの前進に先立ちプランジャーロッドを所定量だけ回転させ、プランジャーロッドを前進させると、プランジャーロッドの前進時に異なる位置の係止部が係止受部に係止される。薬液等の投与量はプランジャーロッドの前進量により規定され、これにより、注射筒体内の薬液等の投与量が段階的に調節される。
【００１２】
また、本発明の請求項４記載の注射器の場合は、上記プランジャーロッドの第１のリブ部に薬液等が全量入った状態で係止受部と係合するストッパＡが設けられているので、使用時に誤ってプランジャーロッドを押し込むことによる外筒体１内の薬液等の不用意な漏出が防止される。
【００１３】
【発明の実施の形態】
以下、図１〜図４を参照して本発明の第１の実施の形態を説明する。図１は本発明の注射器１０を示す分解斜視図、図２、図３、図４はその作用図である。
【００１４】
図１、図２に示すように、注射器１０は、外筒体１と、プランジャー７と、プランジャーロッド９とから構成されている。外筒体１の一端には針３と接合する筒先部１Ｂを備え、該部分は使用前は閉塞キャップ５で密閉されている。また、外筒体１の他端には開口部１Ｃを備え、その外周にはフィンガグリップ係合部１Ｄを備えている。上記外筒体１の内部にはプランジャー７が嵌合され、内部に薬液等Ｙが封入されている。尚、薬液等Ｙは予め封入されていても良いし、当初は空の状態としておき注射針を通じて注入されるようにしても良い。ここで、薬液等Ｙとは薬剤の他、栄養剤、点滴剤等をいう。上記プランジャー７の雌ねじ７Ａにはプランジャーロッド９の先端に設けた雄ねじ９Ｎを螺合させている。プランジャーロッド９はプランジャー７に対して回転可能に形成される。
【００１５】
上記プランジャーロッド９は、その長手方向Ｏに延び且つ外周方向の異なる位置に複数のリブ部を設けている。本実施の形態では、断面十字型をなす４枚のリブ部９Ａ，９Ｂ，９Ｃ，９Ｄが形成されている。第１のリブ部９Ａには、先端の雄ねじ９Ｎに接近した位置にストッパＡを設けている。これは、外筒体１内に薬液等Ｙが全量入った状態でプランジャーロッド９を係止するものであり、使用時に誤ってプランジャーロッド９を押し込むことによる外筒体１内の薬液等Ｙの不用意な漏出を防止するものである。
【００１６】
また、第２のリブ部９Ｂの中間位置に係止部Ｂを設けている。上記ストッパＡと係止部Ｂとの間隔は、プランジャーロッド９の前進量となり、これにより薬液等Ｙの投与量が規定される。また、係止部Ｂとプランジャー７の先端が外筒体１の筒先部１Ｂ内端に当接する位置との間隔は、次のプランジャーロッド９の前進量となり、残余の薬液等Ｙの投与量が規定される。尚、ストッパＡは必ずしも設けなくても良く、単に外筒体１内の所定位置にプランジャー７を嵌合させておいても良い。
【００１７】
一方、上記外筒体１の開口部１Ｃには、上記ストッパＡや係止部Ｂと係合する係止受部１５Ｄを設ける。本実施の形態では、係止受部１５Ｄを備えた係止受体１３を外筒体１のフィンガグリップ係合部１Ｄに横方向から着脱可能に取り付けている。すなわち、上記係止受体１３は、全体がＣ字状をなし断面形状がＵ字状に形成され、上下の鍔部１５Ａ，１５Ｂがフィンガグリップ係合部１Ｄに嵌合して外筒体１の内周に開口縁部１５Ｃが配置されるように取り付けられている。そして、上記開口縁部１５Ｃの内周には、中心側へ次第に壁幅を拡げた係止受部１５Ｄが設けられている。
【００１８】
上記ストッパＡが係止受部１５Ｄに係止された状態を始発状態とし、プランジャーロッド９を反時計方向に９０度だけ回転させると、第２のリブ部９Ｂに形成された係止部Ｂの位置と一致し、プランジャーロッド９を前進させると係止部Ｂが係止されるように構成されている。更に、プランジャーロッド９を反時計方向に９０度だけ回転させると、第３のリブ部９Ｃが係止受部１５Ｄの位置と一致し、第３のリブ部９Ｃには係止部は設けられていないので、プランジャーロッド９を前進させることが可能なように構成されている。
【００１９】
尚、上記係止受部１５Ｄの先端部１５Ｅは、プランジャーロッド９を時計方向に回転させた場合に前段の係止部が当接するストッパとなっている。例えば、図２に示すように、リブ部９Ａの前段のリブ部９Ｄにおいては上記ストッパＡに相当する位置を係止受部１５Ｄの先端部１５Ｅに当接するようにし、また、リブ部９Ｂの前段のリブ部９Ａにおいては上記係止部Ｂに相当する位置を係止受部１５Ｄの先端部１５Ｅに当接するように構成している。これにより、逆回転を阻止して誤操作を防止するように構成されている。
【００２０】
以上の構成を基にその作用を説明する。まず、図２に示すように、外筒体１の開口部１Ｃ側の始発位置Ｓ０にあるプランジャー７の雌ねじ７Ａに、プランジャーロッド９の先端の雄ねじ９Ａを螺合させて一体化する。次に、フィンガグリップ係合部１Ｄに係止受体１３を横方向から装着する。この時、図２のＩ−Ｉ断面図に示すように、プランジャーロッド９を反時計方向に回転させ、係止受体１３の係止受部１５Ｄに、プランジャーロッド９のリブ部９Ａの先端側に設けたストッパＡを係合させる。これにより、誤ってプランジャーロッド９を外筒体１内に押しても拘束されて動かず、外筒体１の筒内の薬液Ｙが針３から漏れることがない。
【００２１】
次に、注射に先立ち、図３のＩＩ−ＩＩ断面図に示すように、プランジャーロッド９を９０度だけ反時計方向に回転させ、プランジャーロッド９のリブ部９Ｂの中間部に設けた係止部Ｂを係止受体１３の係止受部１５Ｄに合わせる。続いて、患者への注射作業に入り、図３に示すように、手に持った注射器１０の係止受体１３をフィンガグリップとしてプランジャーロッド９を外筒体１内に押し込む。プランジャーロッド９のプランジャー７先端が停止位置Ｓ１まで前進したところで、プランジャーロッド９のリブ部９Ｂの中間部に設けた係止部Ｂが係止受部１５Ｄに当接してこれ以上の押し込みを拘束する。これにより、所定量の薬液等Ｙが正確に投与される。
【００２２】
更に、残余の薬液Ｙの投与を行うに先立ち、図４のＩＩＩ−ＩＩＩ断面図に示すように、プランジャーロッド９を更に９０度だけ反時計方向に回転させ、プランジャーロッド９のリブ部９Ｃを係止受体１３の係止受部１５Ｄに合わせる。この後、図４に示すように、手に持った注射器１０の係止受体１３をフィンガグリップとしてプランジャーロッド９を外筒体１内に押し込む。プランジャーロッド９のプランジャー７先端が外筒体１の筒先部１Ｂ内端に当接して停止位置Ｓ２まで前進したところで、これ以上の押し込みを拘束する。これにより、所定量の薬液等Ｙが正確に投与される。
【００２３】
以上本実施の形態によると次のような効果を奏することができる。まず、薬液等Ｙの投与量を段階的に調整することかできる。すなわち、必要量を注入したところでプランジャーロッド９が停止し、それ以上の薬液等Ｙの注入を阻止する。したがって、簡単な操作で薬液等Ｙの投与量を調節できるので、注射を受ける患者の大人か子供かの区別や体格・体重および病状の重症度等に応じて、薬液等Ｙの投与量を正確に調節することができる。また、ストッパＡを設けた場合には、未使用時にプランジャーロッド９を固定し、薬液等Ｙの漏出を防止することができる。
【００２４】
また、フィンガグリップ係合部１Ｄに対して係止受体１３が着脱可能となつているから、通常の注射器において、フィンガグリップ係合部１Ｄに係止受部１５Ｄを取り付けることができ、プランジャーロッド７を複数枚の各リブ部９Ａ，９Ｂの各々異なる長手方向の位置にストッパＡ、係止部Ｂが設けられたものと交換すれば、通常の注射器を使用して本発明の注射器１０とすることができる。
【００２５】
次に、図５〜図１０を参照して本発明の第２の実施の形態を説明する。本実施の形態の注射器２０においては、上記プランジャーロッド９はその長手方向に延び且つ外周方向の異なる位置に設けられた複数のリブ部９Ａ，９Ｂ，９Ｃ，９Ｄを有し、上記各リブ部９Ｂ，９Ｃ，９Ｄに時計方向の順でそれぞれ長手方向に間隔を開けて複数の係止部Ｂ，Ｃ，Ｄを設けている。また、上記外筒体１の開口部１Ｃに係止受部１５Ｄを設け、上記プランジャーロッド９の前進に先立ちプランジャーロッドを所定量だけ回転させ、プランジャーロッド９の前進時に異なる位置の係止部Ｂ，Ｃ，Ｄを係止受部１５Ｄに係止させることにより薬液等Ｙの投与量を段階的に調節するようにしたものである。
【００２６】
尚、本実施の形態では、第１のリブ部９Ａには、先端の雄ねじ９Ｎに接近した位置にストッパＡを設けている。これは、プランジャーロッド９を押し込むことによる外筒体１内の薬液等Ｙの不用意な漏出を防止するものである。上記ストッパＡと係止部Ｂとの間隔は、プランジャーロッド９の前進量となり、これにより薬液等Ｙの投与量が規定される。係止部Ｂと係止部Ｃ、係止部Ｃと係止部Ｄとの間隔も同様である。また、係止部Ｄとプランジャー７の先端が外筒体１の筒先部１Ｂ内端に当接する位置との間隔は、次のプランジャーロッド９の前進量となり、これにより残余の薬液等Ｙの投与量が規定される。
【００２７】
一方、上記外筒体１の開口部１Ｃには、係止受部１５Ｄが設けられている。具体的には、係止受部１５Ｄを備えた係止受体１３がフィンガグリップ係合部１Ｄに横方向から着脱可能に取り付けられている。すなわち、上記係止受体１３は、全体がＣ字状をなし断面形状がＵ字状に形成されたものであり、上下の鍔部１５Ａ，１５Ｂがフィンガグリップ係合部１Ｄに嵌合して外筒体１の内周に開口縁部１５Ｃが配置されるように取り付けられている。そして、上記開口縁部１５Ｃの内周には、中心側へ次第に壁幅を拡げた係止受部１５Ｄが設けられている。上記係止受部１５Ｄの先端部１５Ｅは内方に突出形成され、プランジャーロッド９を時計方向への回転は許容するが、ストッパＡと各係止部Ｂ、Ｃ、Ｄを係止させた状態でそれ以上反時計方向への回転は阻止して誤操作を防止するようになっている。
【００２８】
以上の構成を基にその作用を説明する。まず、図６に示すように、外筒体１の開口部１Ｃ側の始発位置Ｓ０にあるプランジャー７の雌ねじ７Ａに、プランジャーロッド９の先端の雄ねじ９Ｎを螺合させて一体化する。次に、フィンガグリップ係合部１Ｄに係止受体１３が横方向から装着される。この時、図６のＩＶ−ＩＶ断面図に示すように、プランジャーロッド９を時計方向に回転させ、係止受体１３の係止受部１５Ｄに、プランジャーロッド９のリブ部９Ａの先端側に設けたストッパＡを係合させる。これにより、誤ってプランジャーロッド９を外筒体１内に押しても拘束されて動かず、外筒体１内の薬液Ｙが針３から漏れることがない。
【００２９】
次に、注射に先立ち、図７のＶ−Ｖ断面図に示すように、プランジャーロッド９を９０度だけ時計方向に回転させ、プランジャーロッド９のリブ部９Ｂの中間部に設けた係止部Ｂを係止受体１３の係止受部１５Ｄに合わせる。続いて、患者への注射作業に入り、図７に示すように、手に持った注射器１０のフィンガグリップ係合部１Ｄに装着した係止受体１３をフィンガグリップとしてプランジャーロッド９を外筒体１内に押し込む。プランジャーロッド９のプランジャー７先端が停止位置Ｓ１だけ前進したところで、プランジャーロッド９のリブ部９Ｂの中間部に設けた係止部Ｂが係止受体１３の係止受部１５Ｄに当接してこれ以上の押し込みを拘束する。これにより、所定量の薬液Ｙが正確に投与される。
【００３０】
更に、次の薬液Ｙの投与を行うに先立ち、図８のＶＩ−ＶＩ断面図に示すように、プランジャーロッド９を更に９０度だけ時計方向に回転させ、プランジャーロッド９のリブ部９Ｃを係止受体１３の係止受部１５Ｄに合わせる。この後、図８に示すように、手に持った注射器１０の係止受体１３をフィンガグリップとしてプランジャーロッド９を外筒体１内に押し込む。プランジャーロッド９のプランジャー７先端が停止位置Ｓ２まで前進したところで、プランジャーロッド９のリブ部９Ｃの中間部に設けた係止部Ｃが係止受体１３の係止受部１５Ｄに当接してこれ以上の押し込みを拘束する。これにより、所定量の薬液Ｙが正確に投与される。
【００３１】
さらに、次の薬液Ｙの投与を行う場合は、図９のＶＩＩ−ＶＩＩ断面図に示すように、プランジャーロッド９を更に９０度だけ時計方向に回転させ、プランジャーロッド９のリブ部９Ｄを係止受体１３の係止受部１５Ｄに合わせる。この後、図９に示すように、手に持った注射器１０の係止受体１３をフィンガグリップとしてプランジャーロッド９を外筒体１内に押し込む。プランジャーロッド９のプランジャー７先端が停止位置Ｓ３まで前進したところで、プランジャーロッド９のリブ部９Ｄの中間部に設けた係止部Ｄが係止受体１３の係止受部１５Ｄに当接してこれ以上の押し込みを拘束する。これにより、所定量の薬液Ｙが正確に投与される。
【００３２】
さらに、次の薬液Ｙの投与を行う場合は、図１０のＶＩＩＩ−ＶＩＩＩ断面図に示すように、プランジャーロッド９を更に９０度だけ時計方向に回転させ、プランジャーロッド９のリブ部９Ａを係止受体１３の係止受部１５Ｄに合わせる。この後、図１０に示すように、手に持った注射器１０の係止受体１３をフィンガグリップとしてプランジャーロッド９を外筒体１内に押し込む。プランジャーロッド９のプランジャー７先端が外筒体１の筒先部１Ｂ内端に当接して停止位置Ｓ４まで前進したところで、これ以上の押し込みを拘束する。これにより、所定量の薬液等Ｙが正確に投与される。
【００３３】
以上、本実施の形態の注射器によると以下のような効果を奏することができる。まず、薬液等Ｙの投与量を何段階かで段階的に調整することかできる。すなわち、必要量を注入したところでプランジャーロッド９が停止し、それ以上の薬液等の注入を阻止する。したがって、簡単な操作で薬液等Ｙの投与量を調節できるので、注射を受ける患者の大人又は子供の区別や体格・体重および病状の重症度等に応じて、薬液等Ｙの投与量を正確に調節することができる。また、未使用時にはストッパの作用でプランジャーロッド９を固定し、薬液等Ｙの漏出を防止することができる。
【００３４】
また、フィンガグリップ係合部１Ｄに対して係止受体１３が着脱可能となつているから、通常の注射器において、フィンガグリップ係合部１Ｄに係止受部１５Ｄを取り付けることができ、プランジャーロッド７を複数枚の各リブ部９Ａ〜９Ｄの各々異なる長手方向の位置にストッパＡ、係止部Ｂ〜Ｄが設けられたものと交換すれば、通常の注射器を使用して本発明の注射器１０とすることができる。
【００３５】
次に、図１１、図１２を参照して本発明の第３の実施の形態を説明する。本実施の形態の注射器３０は、外筒体１と、プランジャー７と、プランジャーロッド９とから構成されている。上記外筒体１の開口部１Ｃには係止受部２１Ｅを備えたフィンガグリップ２１を軸芯方向Ｏから嵌着させている。すなわち、図１１に示すように、上記フィンガグリップ２１は、筒部２１Ａとフィンガグリップ部２１Ｂとが一体形成され、筒部２１Ａの内壁には、外筒体１の端部に設けた凹溝１Ｅに嵌合する鍔部２１Ｄが設けられており、上記フィンガグリップ２１が外筒体１の端部に着脱可能に嵌着される。そして、筒部２１Ａの内径と同径に開けられたフィンガグリップ部２１Ｂの開口部２１Ｃの内周に中心側へ突出した係止受部２１Ｅを設けている。尚、上記フィンガグリップ２１を外筒体１の端部に取り付ける手段としては螺合構造とすることも可能である。また、プランジャー７とプランジャーロッド９の取り付け構造は、プランジャー７に係合凹部７Ｂを形成し、プランジャーロッド９に係合片９Ｍを形成し、係合片９Ｍを係合凹部７Ｂに係合させて回転可能に取り付けている。
【００３６】
上記プランジャーロッド９の第１のリブ部９Ａには、プランジャー７の先端に接近した位置にストッパＡを設け、第２のリブ部９Ｂの中間位置に係止部Ｂを設けている。その他の構成は、上記第１の実施の形態の場合と同じであるので同一部分には同一符号を付して示しその説明は省略する。
【００３７】
以上の構成を基にその作用を説明する。図１２（ａ）に示すように、プランジャー７を始発位置Ｓ０に位置させ、係止受部２１Ｅに、プランジャーロッド９のリブ部９Ａの先端側に設けたストッパＡを係合させる。これにより、誤ってプランジャーロッド９を外筒体１内に押しても拘束されて動かず、外筒体１の筒内の薬液等Ｙが針先３Ａから漏れない。
【００３８】
次に、注射に先立ち、プランジャーロッド９を９０度だけ反時計方向に回転させ、プランジャーロッド９のリブ部９Ｂの中間部に設けた係止部Ｂを係止受部２１Ｅに合わせる。続いて、患者への注射作業に入り、図１２（ｂ）に示すように、手に持った注射器２０のフィンガグリップ２１を保持してプランジャーロッド９を外筒体１内に押し込む。プランジャーロッド９のプランジャー７先端がＳ１まで前進したところで、プランジャーロッド９のリブ部９Ｂの中間部に設けた係止部Ｂが係止受部２１Ｅに当接してこれ以上の押し込みを拘束する。これにより、所定量の薬液Ｙが正確に投与される。
【００３９】
更に、残余の薬液等Ｙの次の投与を行うに先立ち、図１２（ｃ）に示すように、プランジャーロッド９を更に９０度だけ反時計方向に回転させ、プランジャーロッド９のリブ部９Ｃを係止受部２１Ｅに合わせる。この後、図１２（ｃ）に示すように、手に持った注射器１０の係止受体１３をフィンガグリップとしてプランジャーロッド９を外筒体１内に押し込む。プランジャーロッド９のプランジャー７先端が外筒体１の筒先部１Ｂ内端に当接して停止位置Ｓ２まで前進したところで、これ以上の押し込みを拘束する。これにより、所定量の薬液等Ｙが正確に投与される。
【００４０】
上記の構成によると、注射を受ける患者の大人又は子供の別や体格・体重および病状の重症度に応じて、薬液等Ｙの投与量を段階的に調節することができる。
【００４１】
次に、図１３、図１４を参照して本発明の第４の実施の形態を説明する。本実施の形態の注射器４０は、一端に針３と接合する筒先部１Ｂを備え、他端１Ｃにフィンガグリップ２１を備えた外筒体１と、上記外筒体１の内部に所定間隔をあけて嵌合した第１プランジャー７Ｘおよび第２プランジャー７Ｙと、上記第１プランジャー７Ｘに螺合するプランジャーロッド９とを備え、第１プランジャー７Ｘと第２プランジャー７Ｙとの間の筒内１Ｅに第１注射剤としての溶解液Ｙを封入し、第２プランジャー７Ｙと筒先部１Ｂとの間の筒部１Ｆに膨出部１Ｇを設けるとともに、第２注射剤としての粉末薬剤等Ｆを封入したものである。尚、第１注射液と第２注射液はともに薬液であっても良い。
【００４２】
上記プランジャーロッド９は、複数のリブ部９Ｂ，９Ｃに係止部Ｂ，Ｃが設けられている。また、上記外筒体１の開口部１Ｃに第３の実施の形態と同様の係止受部２１Ｅが形成される。すなわち、図１３に示すように、筒部２１Ａの内壁には、外筒体１の端部に設けた鍔部１Ｈに嵌合する凹溝２１Ｆが設けられており、上記フィンガグリップ２１が外筒体１の端部に着脱可能に嵌着される。
【００４３】
以上の構成を基にその作用を説明する。図１３に示すように、第１プランジャー７Ｘが外筒体１の開口部１Ｃに配置され、リブ部９Ｂの係止部Ｂを係止受部２１Ｅに位置させた状態を始発状態とし、プランジャーロッド９を押し込んでゆく。図１４（ａ）に示すように、プランジャーロッド９の前進時に係止部Ｂが係止受部２１Ｅに係止され第２プランジャー７Ｙは停止位置Ｓ０に停止される。この時、第１プランジャー７Ｘが第２プランジャー７Ｙに接近して一体化し、外筒体１内の溶解液Ｙと粉末薬剤等Ｆとが混合され混合薬液等ＹＦが製造される。
【００４４】
この後、図１４（ｂ）に示すように、プランジャーロッド９を９０度反時計方向に回転させ、リブ部９Ｃの係止部Ｃを係止受部２１Ｅに合わせ、プランジャーロッド９を押し込んでゆくと、プランジャーロッド９の前進時に係止部Ｃが係止受部２１Ｅに係止され第２プランジャー７Ｙが停止位置Ｓ１に停止される。これにより、所定量の混合薬液等ＹＦが正確に投与される。続いて、図１４（ｃ）に示すように、プランジャーロッド９を９０度反時計方向に回転させ、リブ部９Ｄを係止受部２１Ｅに合わせ、プランジャーロッド９を押し込んでゆくと、プランジャーロッド９の前進時に第２プランジャー７Ｙ先端が外筒体１の筒先部１Ｂ内端に当接して係止され停止位置Ｓ２に停止される。これにより、所定量の混合薬液等ＹＦが正確に投与される。
【００４５】
上記の構成によると、注射を受ける患者の大人又は子供の別や体格・体重および病状の重症度に応じて、混合薬液等ＹＦの投与量を段階的に調節することができる。
【００４６】
次に、図１５〜図１７を参照して本発明の第５の実施の形態を説明する。この実施の形態の注射器５０は、外筒体４１内に注射筒体４３を備え、且つ注射筒体４３を２室型としたものである。上記外筒体４１は、一端に針３と接合する筒先部４１Ａを備え、上記筒先部４１Ａの内側に注出針３Ａを突出形成し、また、他端開口部の外周にフィンガグリップ４１Ｂを備えている。上記注射筒体４３は、その先端部に備えた閉止部材４５と、内部に所定間隔をあけて嵌合した第１プランジャー７Ｘおよび第２プランジャー７Ｙと、上記第１プランジャー７Ｘに螺合するプランジャーロッド９とを備え、第１プランジャー７Ｘと第２プランジャー７Ｙとの間の筒内部４３Ａに第１注射剤としての溶解液Ｙを封入し、第２プランジャー７Ｙと筒先部との間の筒内部４３Ｂに膨出部４３Ｇを設けるとともに、第２注射剤としての粉末薬剤等Ｆを封入する。
【００４７】
そして、プランジャーロッド９のリブ部９Ｂ，９Ｃには、第４の実施の形態と同様にそれぞれ係止部Ｂ，Ｃが設けられている。一方、上記注射筒体４３の開口部４３Ｃに装着する鍔部４３Ｄに第４の実施形態と同様の係止受部２１Ｅが形成される。すなわち、図１５に示すように、筒部２１Ａの内壁には、注射筒体４３の端部に設けた鍔部４３Ｄに嵌合する凹溝２１Ｆが設けられており、上記鍔部４３Ｄが注射筒体４３の端部に着脱可能に嵌着される。その他の構成は上記第４の実施の形態の場合と同じであるので同一部分には同一符号を付して示しその説明は省略する。
【００４８】
以上の構成を基にその作用を説明する。まず、図１５に示すように、第１プランジャー７Ｘが注射筒体４３の開口部４３Ｃに配置され、リブ部９Ｂの係止部Ｂを係止受部２１Ｅに位置させた状態を始発状態とし、プランジャーロッド９を押し込んでゆく。図１６（ａ）に示すように、プランジャーロッド９を前進させ、第１プランジャー７Ｘを押し出して第２プランジャー７Ｙを膨出部４３Ｇに位置させ、次いで、図１６（ｂ）に示すように、第１プランジャー７Ｘを前進させて溶解液Ｙを粉末薬剤等Ｆ側に移動させ、次いで、図１６（ｃ）に示すように、第１プランジャー７Ｘを第２プランジャー７Ｙに接近して一体化させ、注射筒体４３内の溶解液Ｙと粉末薬剤等Ｆとを混合させて混合薬液等ＹＦを製造する。
【００４９】
次に、図１７（ｄ）に示すように、注射筒体４３を押し込んで注出針３Ａに閉止部材４５を挿通させることにより、注射針３から混合薬液等ＹＦの注出を可能とする。このとき、係止部Ｂは係止受部２１Ｅに係止され停止位置Ｓ０に停止されそれ以上の前進を阻止している。そして、上記プランジャーロッド９を９０度時計方向に回転させ、リブ部９Ｃの係止部Ｃを係止受部２１Ｅに合わせ、プランジャーロッド９を押し込んでゆくと、図１７（ｅ）に示すように、プランジャーロッド９の前進時に係止部Ｃが係止受部２１Ｅに係止され停止位置Ｓ１に停止される。これにより、所定量の混合薬液等ＹＦが正確に投与される。続いて、図１７（ｆ）に示すように、プランジャーロッド９を９０度時計方向に回転させた後、プランジャーロッド９の前進時にプランジャー７先端が外筒体４３の筒先部４３Ｂ内端に当接して係止され停止位置Ｓ２に停止される。これにより、所定量の混合薬液等ＹＦが正確に投与される。
【００５０】
上記の構成によると、注射を受ける患者の大人又は子供の別や体格・体重および病状の重症度に応じて、混合薬液等ＹＦの投与量を段階的に調節することができる。
【００５１】
尚、本発明は上記の各実施の形態に限定されるものではない。まず、プランジャーロッドに形成するリブ部の本数や係止部の数は任意であり、これに応じて任意の段階数で投与量を調節することができる。また、リブ部の形状や係止部の形状も上記各実施の形態の形状に限定されず、種々の形態が考えられる。また、外筒体の開口部に形成される係止受部は、上記各実施の形態のものに限定されず、例えば、外筒体と一体形成したものでも良いし、外筒体の開口部に内嵌されるようにしても良い。また、本発明の注射器は任意の段階数で投与量を調節することができるものであるが、封入された薬剤等を全量投与する場合や多段階のうちの任意の量で投与する場合は、プランジャーロッドを任意の角度に回転させて各係止部による係止を省略して使用することもできる。また、任意の量の薬剤等を投与した後、残余の薬液等は使用されないで廃棄される場合もある。更に、外筒体や注射筒体側の係止受部に目印を付け、プランジャーロッド側の任意の部分に各係止部やストッパの位置にそれぞれの投与量に対応した数字等を表示しておくこともできる。
【００５２】
【発明の効果】
以上詳述したように、本発明の注射器によると、プランジャーロッドの前進に先立ちプランジャーロッドを所定量だけ回転させ、プランジャーロッドを前進させると、プランジャーロッドの前進時に異なる位置の係止部が係止受部に係止され、薬液等の投与量がプランジャーロッドの前進量により規定されて、簡単な操作により薬液等の投与量を段階的に調節することができる。
【図面の簡単な説明】
【図１】本発明の第１の実施の形態を示し、注射器の分解斜視図である。
【図２】本発明の第１の実施の形態を示し、注射器の作用を説明する断面図である。
【図３】本発明の第１の実施の形態を示し、注射器の作用を説明する断面図である。
【図４】本発明の第１の実施の形態を示し、注射器の作用を説明する断面図である。
【図５】本発明の第２の実施の形態を示し、注射器の分解斜視図である。
【図６】本発明の第２の実施の形態を示し、注射器の作用を説明する断面図である。
【図７】本発明の第２の実施の形態を示し、注射器の作用を説明する断面図である。
【図８】本発明の第２の実施の形態を示し、注射器の作用を説明する断面図である。
【図９】本発明の第２の実施の形態を示し、注射器の作用を説明する断面図である。
【図１０】本発明の第２の実施の形態を示し、注射器の作用を説明する断面図である。
【図１１】本発明の第３の実施の形態を示し、注射器の分解斜視図である。
【図１２】本発明の第３の実施の形態を示し、注射器の作用を説明する断面図である。
【図１３】本発明の第４の実施の形態を示し、注射器の断面図である。
【図１４】本発明の第４の実施の形態を示し、注射器の作用を説明する断面図である。
【図１５】本発明の第５の実施の形態を示し、注射器の断面図である。
【図１６】本発明の第５の実施の形態を示し、注射器の作用を説明する断面図である。
【図１７】本発明の第５の実施の形態を示し、注射器の作用を説明する断面図である。
【符号の説明】
１　　　　　　　　　　外筒体
１Ｂ　　　　　　　　　筒先部
１Ｃ　　　　　　　　　開口部
１Ｄ　　　　　　　　　フィンガグリップ係合部
１Ｆ　　　　　　　　　筒部
１Ｇ　　　　　　　　　膨出部
３　　　　　　　　　　針
３Ａ　　　　　　　　　注出針
５　　　　　　　　　　閉塞キャップ
７　　　　　　　　　　プランジャー
７Ａ　　　　　　　　　雌ねじ
９　　　　　　　　　　プランジャーロッド
９Ａ，９Ｂ，９Ｃ，９Ｄ　リブ部
９Ｎ　　　　　　　　　雄ねじ
１３　　　　　　　　　係止受体
１５Ａ，１５Ｂ　　　　鍔部
１５Ｃ　　　　　　　　開口縁部
１５Ｄ　　　　　　　　係止受部
２０　　　　　　　　　注射器
２１　　　　　　　　　フィンガグリップ
２１Ａ　　　　　　　　筒部
２１Ｂ　　　　　　　　フィンガグリップ部
２１Ｃ　　　　　　　　開口部
２１Ｄ　　　　　　　　鍔部
２１Ｅ　　　　　　　　係止受部
３０，４０　　　　　　注射器
４１　　　　　　　　　外筒体
４１Ａ　　　　　　　　筒先部
４１Ｂ　　　　　　　　フィンガグリップ
４３　　　　　　　　　注射筒体
４３Ａ　　　　　　　　筒内部
４３Ｂ　　　　　　　　筒内部
７Ｘ　　　　　　　　　第１プランジャー
７Ｙ　　　　　　　　　第２プランジャー
Ａ，Ｂ，Ｃ，Ｄ　　　　係止部
Ｆ　　　　　　　　　　粉末薬剤等
Ｏ　　　　　　　　　　長手方向
Ｓｏ　　　　　　　　　停止位置
Ｓ１，Ｓ２　　　　　　停止位置
Ｙ　　　　　　　　　　薬液等
ＹＦ　　　　　　　　　混合薬液等
【図１】
2004049726.tif 000003
【図２】
2004049726.tif 000004
【図３】
2004049726.tif 000005
【図４】
2004049726.tif 000006
【図５】
2004049726.tif 000007
【図６】
2004049726.tif 000008
【図７】
2004049726.tif 000009
【図８】
2004049726.tif 000010
【図９】
2004049726.tif 000011
【図１０】
2004049726.tif 000012
【図１１】
2004049726.tif 000013
【図１２】
2004049726.tif 000014
【図１３】
2004049726.tif 000015
【図１４】
2004049726.tif 000016
【図１５】
2004049726.tif 000017
【図１６】
2004049726.tif 000018
【図１７】
2004049726.tif 000019